(57)【要約】      （修正有）【課題】保持材に装飾材との共通係止構造を持たせる事により、様々な形状の装飾材を保持材に係止できるようになり、ホッチキスを用いて被綴物を美しく綴るだけでなく装飾そのものを用途とした新しい装飾留め具を提供する。【解決手段】ホッチキス針と係合する係合部と、表面から該針の突出を防止するための凹部とを有し該針と被綴物の間に挿入係止される保持材と、該保持材と互いに係止可能な係止部を有し、該保持材の一部または全部を覆い被綴物の美観を向上し装飾する事が出来る装飾材。該保持材複数個を摺動可能に装填する保持材ホルダーを、保持材の１つがホッチキス本体の所定の作動位置に自動装填される様に摺動可能な押し具とバネとによる付勢構造を有するホッチキス。【選択図】図２
0003125002.tif 000002
【実用新案登録請求の範囲】
【請求項１】
ホッチキス針と係合する係合部を有し該針により該針と被綴物の間に綴じられた状態で別部材と係止可能な係止部を有する事を特徴とする保持材と、該保持材と係止可能な係止部を有し該保持材と係止された時に該保持材の一部または全部を覆って装飾する装飾面を有する事を特徴とする装飾材とからなる装飾留め具
【請求項２】
ホッチキス針が表面から突出する事を防止するため、該保持材の該針との係合部周辺に凹部を設けた事を特徴とする請求項１記載の装飾留め具
【請求項３】
請求項１記載の保持材複数個を摺動可能に装填する保持材ホルダーを、ホッチキス針装填マガジンと被綴物の間、もしくは被綴物とクリンチャーとの間、もしくはその両方の位置に具備し、該ホルダー内の該保持材の１つがホッチキス本体の所定の作動位置に装填される様に摺動可能な押し具とバネとによる付勢構造を有する事を特徴とするホッチキス
【請求項４】
被綴物とクリンチャーとの間に装着された該保持材ホルダーに、クリンチャーによって保持材の摺動を妨げない様に跳ね上げ機構を付加した事を特徴とする請求項３記載のホッチキス
【考案の詳細な説明】
【技術分野】
【０００１】本考案は、ホッチキスを用いた装飾留め具に関する考案である。
【背景技術】
【０００２】ホッチキスは手軽で安全な留め具として幅広く使われているが、針が露出しているため被綴物の美観を損ねるという問題があった。また美観の改善を試みたものもあったが種々の制約から装飾具としての機能は十分ではなかった。一方、ピンバッジ等の装飾具は鋭利なピンと留め具が裏面に大きく突出したり、被綴物に留めねじ用の太い穴を開ける必要があったり、安全ピンやクリップ等の不安定でかさばる等という問題を有するものを利用する方法が一般的であった。
【考案の開示】
【考案が解決しようとする課題】
【０００３】針が露出しているため被綴物の美観を損ねるという問題を軽減し装飾性を改善したものとして、針そのものに装飾性を持たせたもの（例えば、特許文献１参照）や、装飾バッジとクリンチャーとを一体化し針の端部が露出するのを防止したもの（例えば、特許文献２参照）等がある。
【特許文献１】特開２００３−２６１３６号
【特許文献２】登録実用新案公報  第３０５１９７１号
【０００４】しかし針そのものに装飾性を持たせたものは、針機能維持の制約から自由度の低くデザイン性の低い装飾機能しか得る事ができなかった。クリンチャーと一体化されたものは、ホッチキスの主要機能の一部であるクリンチャー部分を装飾材であるバッジ側に持たせたため、ホッチキス本体に装填するために装飾材の外形デザイン毎に専用ホルダーを用意する必要があり、自由な形状の豊富なバリエーションの装飾材に対応する事が困難である。また綴る際にクリンチャー部に強い力がかかるため、クリンチャー部や装飾材の素材には強度の高いものを使わざるを得なく、形状も制限されたものになってしまうという問題点があった。
【課題を解決するための手段】
【０００５】ホッチキス針と係合する係合部と、表面から該針の突出を防止するための凹部とを有し該針と被綴物の間に挿入係止される保持材と、該保持材と互いに係止可能な係止部を有し、該保持材の一部または全部を覆い被綴物の美観を向上し装飾する事が出来る装飾材。
該保持材複数個を摺動可能に装填する保持材ホルダーを、ホッチキス針装填マガジンと被綴物の間、もしくは被綴物とクリンチャーとの間、もしくはその両方の位置に具備し、該ホルダー内の該保持材の１つがホッチキス本体の所定の作動位置に自動装填される様に摺動可能な押し具とバネとによる付勢構造を有するホッチキス。
【考案の効果】
【０００６】本考案は、上記保持材に別途提供される装飾材との共通係止構造を持たせる事により、様々な形状の装飾材を保持材に係止できるようになり、手軽で安全な留め具としてのホッチキスを用いて被綴物を美しく綴るだけでなく装飾そのものを用途とした新しい装飾留め具を実現することを可能とする。
【考案を実施するための最良の形態】
【０００７】ホッチキス針の端部は被綴物を貫通した後保持材の係合部と係合するように屈曲し、保持材を介して被綴物を綴る。これにより直接鋭利な端部が被綴物に接することが無いため最も損傷を受けやすい針端部との接触部における被綴物の損傷を防ぐ事ができる。また針端部は保持材に設けられた凹部によって露出することなく収められ、更に保持材に設けた係止部によって様々な形状の装飾材を保持材を覆うように係止させる事が可能である。
【実施例】
【０００８】以下、図１に従って本案の保持材実施例を説明する。１は樹脂等で形成された保持材で、２は書類等の被綴物、３はホッチキス針であり保持材１には針３が係合する穴４が設けられている。針３両端部は２を貫通し１の係合穴４を経て屈曲し、２に直接接触する事なく保持材１を介して被綴物２を綴ることになるため損傷を防ぐことが出来る。保持材１には装飾材（図２に示す符号７）を係止させるための係止部６、針３の露出を抑止するための構造として図示する凹部５等が設けられている。【０００９】図２は装飾材７が保持材１に係止された状態の本案装飾留め具の実施例を示すもので、保持材１の係止部６と装飾材７の係止部８により必要十分な強度で相互に係止される。装飾材７は表面に図示するような飾り文字等の模様を施したり、種々の形状や質感でデザインする事が出来る。双方の係止部６と８の構造を共通化することにより任意の形状、材質、色彩を持った多様な装飾材７を同一構造の保持材１に係止させることが出来、単なる綴じ具としてのホッチキスに装飾具としての機能を付加することが可能となる。【００１０】図３は本案の保持材を装填するホルダーを具備するホッチキスの一実施例を示したものである。９はホッチキス本体で９ａは針を装填するマガジン、９ｂはクリンチャで保持材１の凹部５に入り込める様に凹部より小さな凸形状を成している。９ｃはホッチキス台座であり、保持材１を装填したホルダー１０は台座９ｃに位置決め装着されている。【００１１】図４は図３のホッチキスが被綴物２を綴るため下方に押圧された状態を示すもので、断面図で示したホルダー１０もマガジンにより下方へ押されている。ホルダーの内部に装填された保持材１は左右方向に摺動可能な押し具１０ａとバネ１０ｂにより端部に押圧される。ホルダー１０と台座９ｃはホルダー軸１０ｃで回転可能な形態で係合しており被綴物２の綴りが完了しホッチキス本体の下方への押圧が解除されると、付勢バネ１０ｄによりホルダー１０の左端部が上方に撥ね上げられるように構成されている。左端部の保持材１が被綴物に伴ってホルダーから離脱する毎に新たな保持材が所定の位置に押し出される際、上述した撥ね上げ構造により保持材とクリンチャとの間に隙間が形成され、新たな保持材が所定の位置に押し出される際に妨害されないように考慮されている。【００１２】図５は、石膏ボード等の肉厚被綴物１１に保持材１および装飾材７を留める場合であり、針３は保持材の凹部側から係合穴に通され肉厚被綴物１１に打ち込まれる。これにより保持材は肉厚被綴物に装着され、その上に装飾材７を係止させることにより本案装飾留め具を肉厚被綴物に装着することが可能となる。【００１３】図６は図５の使用例を実行する場合の、保持材をホッチキス本体に装填する実施例を示したものである。ホルダー１２はマガジン９ａと連動して上下動可能な形態で装着され、保持材１はその凹部を上にしてホルダーに装填され左右方向に摺動可能な押し具１２ａとバネ１２ｂにより端部に押圧される。【００１４】図７は保持材の凹部形状の第２の実施例を示したもので、凹部は周囲全部を縁部に囲まれている図１の第１の実施例と異なり、ホルダー内での保持材の移動方向（正面図の上下方向）の縁部が除かれている。そのため保持材からの針の露出抑制効果は若干劣るものの、綴じられた保持材が被綴物に伴ってホルダーから離脱する際、図４で示したホルダーの撥ね上げ機構が無くても保持材とクリンチャとの間に隙間が保たれ、保持材が所定の位置に押し出される際にクリンチャによって妨害される事がない。【００１５】図８は図７で示した第２の実施例の保持材を、ホッチキス本体に装填する一実施例を示したものである。保持材１のホルダー１０内での横方向への移動をクリンチャ９ｂが妨げないためホルダーの撥ね上げ機構が必要無く、ホルダー１０はホッチキス台座９ｃに固定的に装着されている。【００１６】以上のように本考案の保持材はホッチキス針の裏面側のみでなく表面側でも利用可能であり、当然両面での利用も可能である。また、係合穴４を用いてホッチキス針で綴じる以外の、例えば糸で布に縫い付け衣服に装飾材を付ける等の用途にも利用が可能である。
【図面の簡単な説明】
【００１７】
【図１】本考案の保持材がホッチキス針で被綴物に留められる構成図である。
【図２】本考案の装飾材が保持材に係止された本考案装飾留め具の構成図である。
【図３】保持材ホルダーを具備するホッチキスの一実施例を示したものである。
【図４】保持材ホルダーを具備するホッチキスのホルダー構造図である。
【図５】本考案の装飾留め具の別実施例である。
【図６】保持材ホルダーを具備するホッチキスの別実施例を示したものである。
【図７】本考案の保持材の第２の実施例である。
【図８】第２の実施例の保持材をホッチキスに装填する一例を示したものである。
【符号の説明】
【００１８】１      保持材
２      被綴物
３      ホッチキス針
４      係合穴
５      凹部
６      係止部
７      装飾材
８      係止部
９      ホッチキス本体
９ａ    マガジン
９ｂ    クリンチャ
９ｃ    ホッチキス台座
１０    保持材ホルダー
１０ａ  押し具
１０ｂ  バネ
１０ｃ  ホルダー軸
１０ｄ  付勢バネ
１１    肉厚被綴物
１２    保持材ホルダー
１２ａ  押し具
１２ｂ  バネ
【図１】
0003125002.tif 000003
【図２】
0003125002.tif 000004
【図３】
0003125002.tif 000005
【図４】
0003125002.tif 000006
【図５】
0003125002.tif 000007
【図６】
0003125002.tif 000008
【図７】
0003125002.tif 000009
【図８】
0003125002.tif 000010